(57)【要約】【課題】  起動時と終了時において、カメラに関する事項を自然に認識させる。【解決手段】  カメラにおいて、メインスイッチボタン、モードダイヤル、表示部３０、ＬＣＤドライバ４７とを備える。カメラ起動のためメインスイッチボタンが操作されると、前回使用時に設定されたモードを検出し、そのモードに対応するイメージ画像を画像情報メモリ６１から読み出し、表示部３０に表示する。カメラの使用を終えるためメインスイッチボタンが操作されると、終了直前に設定されていたモードを検出し、そのモードに対応するイメージ画像を画像情報メモリ６１から読み出し、表示部３０に表示する。【選択図】  図２
2005101951.tif 000002
【特許請求の範囲】
【請求項１】
画像もしくはキャラクタ情報を表示可能な表示部と、
カメラを起動するための操作および終了するための操作を検出する検出手段と、
起動時および終了時において、カメラに関連性のある画面表示をする表示手段と
を備えたことを特徴とするデジタルカメラ。
【請求項２】
前記表示手段が、ユーザが設定可能な一連のモードの中で設定されたモードに応じた画面表示を行うことを特徴とする請求項１に記載のデジタルカメラ。
【請求項３】
前記一連のモードが、通常の撮影動作を可能にする撮影モード、記録された画像を再生表示する再生モード、夜間撮影用の夜景モード、編集作業用の編集モードのうち少なくともいずれか２つより構成されていることを特徴とする請求項２に記載のデジタルカメラ。
【請求項４】
前記表示手段が、カメラのバッテリ残量と、メモリに記録可能な残り撮影枚数のうち少なくともいずれかひとつを表示することを特徴とする請求項１に記載のデジタルカメラ。
【請求項５】
前記表示手段が、起動時および終了時において、相互に関連性のある画面表示を行うことを特徴とする請求項１に記載のデジタルカメラ。
【請求項６】
画像もしくはキャラクタ情報を表示可能な表示部と、
カメラを起動するための操作および終了するための操作に従って、起動時および終了時において、カメラに関連性のある画面表示をする表示手段と
を備えたことを特徴とするデジタルカメラ用表示装置。
【請求項７】
カメラを起動するための操作および終了するための操作に従って、起動時および終了時において、カメラに関連性のある画面表示を表示部に行うことを特徴とするデジタルカメラ用表示方法。
【発明の詳細な説明】
【技術分野】
【０００１】
本発明は、画像、キャラクタ情報などを表示可能なデジタルカメラに関する。
【背景技術】
【０００２】
デジタルカメラの中には、起動時（電源ＯＮ）において、ＬＣＤ等の表示部に社名や、ＩＤ認識用画像、あるいはユーザが好むイメージ画像などを初期設定の間だけ表示させるものがある（例えば特許文献１、特許文献２参照）。
【特許文献１】特開２００１−１６９１６３号公報（図２）
【特許文献２】特開２００３−１０１６９９号公報
【発明の開示】
【発明が解決しようとする課題】
【０００３】
カメラの使用中、ユーザは、撮影モードや再生モードなどモードを変更することができる。また、撮影条件やバッテリ残量等のカメラの特性、現在状態は、起動時と終了時では多くの場合異なる。しかしながら、カメラの使用は、随意的、非定期的であるため、使用者には今現在のカメラの動作特性等を容易に認識することができない。使用中にユーザが設定した内容やカメラ動作、カメラの現在の状態、あるいはカメラそのものの関連性を、ユーザに想起させる必要がある。
【課題を解決するための手段】
【０００４】
このような課題を解決する本発明に係るデジタルカメラは、起動時と終了時においてユーザがカメラに関する事項を自然に認識することができるカメラである。デジタルカメラは、画像もしくはキャラクタ情報を表示可能な表示部と、カメラを起動するための操作および終了するための操作を検出する検出手段と、起動時および終了時において、カメラに関連性のある画面表示をする表示手段とを備えたことを特徴とする。ここで、カメラの関連性は、カメラにおいてユーザが設定可能なモードや撮影条件、バッテリ残量などユーザにとって価値ある情報となるカメラの現在状態、あるいはカメラのイメージといったカメラそれ自体のイメージという意味を含む。起動時、終了時においては、ユーザに同一内容あるいはメッセージを報知するため、表示手段は、相互に関連性のある画面表示を行うのがよい。例えば、同質の内容（例えば、設定モードやバッテリ残量などカメラ現在状態）を表示するようにすればよい。
【０００５】
例えば、表示手段は、ユーザが設定可能な一連のモードの中で設定されたモードに応じた画面表示を行う。一連のモードとしては、通常の撮影動作を可能にする撮影モード、記録された画像を再生表示する再生モード、夜間撮影用の夜景モード、編集作業用の編集モードのうち少なくともいずれか２つより構成すればよい。
【０００６】
あるいは、表示手段は、カメラのバッテリ残量と、メモリに記録可能な残り撮影枚数のうち少なくともいずれかひとつを表示してもよい。
【０００７】
本発明のデジタルカメラ用表示装置は、画像もしくはキャラクタ情報を表示可能な表示部と、カメラを起動するための操作および終了するための操作に従って、起動時および終了時において、カメラに関連性のある画面表示をする表示手段とを備えたことを特徴とする。
【０００８】
本発明のデジタルカメラ用表示方法は、カメラを起動するための操作および終了するための操作に従って、起動時および終了時において、カメラに関連性のある画面表示を表示部に行うことを特徴とする。
【発明の効果】
【０００９】
起動時と終了時において、カメラに関する事項をユーザが自然に認識することができる。
【発明を実施するための最良の形態】
【００１０】
以下、図面を参照して本発明の実施形態について説明する。
【００１１】
図１は、第１の実施形態であるデジタルスチルカメラの背面図である。
【００１２】
デジタルスチルカメラ１０の背面１０Ｂには、ユーザによって操作される一連のボタン等が設けられており、ここでは、ズームレバー１２、アップボタン１６Ｕ、ダウンボタン１６Ｄ，ライトボタン１６Ｒ、レフトボタン１６Ｌから構成される十字ボタン１６、実行ボタン１８、メニューボタン２０が配置されている。さらに背面１０Ｂには、被写体像を動画／静止画として表示するとともに、文字情報や記号、図形といったキャラクタ情報を表示可能な液晶表示部３０が設けられている。表示部３０の上にはファインダ窓２２が設置されている。
【００１３】
カメラ上面１０Ｕには、メインスイッチボタン１１、レリーズボタン１３が設けられている。モードダイヤル１４は、撮影モード、夜景モード、再生モード、編集モード等のモードを設定するためのダイヤルであり、ユーザによって選択される。撮影モードは、被写体を撮影可能にするモードであり、夜景モードは、夜間における撮影を可能にするモードである。また、再生モードは、記録された画像を再生表示するモードであり、編集モードは、記録された一連の画像を編集等するためのモードである。レリーズボタン１３の操作によって被写体像が記録されるとともに、メインスイッチボタン１１に対する操作により、カメラが起動／動作終了する。
【００１４】
図２は、カメラ１０のブロック図である。
【００１５】
ＣＰＵを含むシステムコントロール回路５０はデジタルスチルカメラ１０を制御し、メインスイッチ１１Ａ，レリーズ半押しスイッチ１３Ａ、レリーズ全押しスイッチ１３Ｂ、実行スイッチ１８Ａ、ズームスイッチ１２Ａ、選択スイッチ１６Ａ、モードダイヤルスイッチ１４Ａなどがシステムコントロール回路５０に接続されている。
【００１６】
モードダイヤル１４によって撮影モードが設定されている場合、撮影する被写体を表示部３０に動画像として表示するための信号処理が施される。撮影光学系１５によって被写体像がＣＣＤ４０の受光面に形成されると、被写体像に応じたアナログ画像信号が発生する。ＣＣＤ４０はＣＣＤ駆動回路５２によって駆動されており、画像信号はＣＣＤ４０から読み出されてアンプ回路４２へ送られる。ＣＣＤ４０から読み出された画像信号がアンプ回路４２において増幅処理されると、Ａ／Ｄ変換器４４において、アナログの画像信号がデジタルの画像信号に変換され、画像処理回路４６に送られる。
【００１７】
画像処理回路４６では、ホワイトバランス、ガンマ補正処理などの様々な信号処理がデジタル画像信号に対して施される。処理された画像信号は、一度フレームメモリ（図示せず）に格納された後、ＬＣＤドライバ４７へ送られる。ＬＣＤドライバ４７では、送られてきた画像信号に基づき、液晶表示部３０を制御する。これにより、被写体像が液晶表示部３０に動画像として表示される。
【００１８】
被写体を撮影するためにレリーズボタン１３が半押しされると、レリーズ半押しスイッチ１３ＡがＯＮ状態となって半押し操作が検出され、カメラ前面に設けられた露出検出器６３において被写体の明るさ、被写体との距離などが検出される。レリーズボタン１３がさらに全押しされると、レリーズ全押しスイッチ１３ＢがＯＮ状態となって全押し操作が検出される。そして、焦点調整のために撮影光学系１５内のフォーカスレンズがレンズ駆動回路６４によって駆動されるとともに、システムコントロール回路５０から出力される制御信号に基いて、シャッタ２８が所定の開度で所定期間だけ開く。レンズ駆動回路６４、シャッタ２８は露出制御回路５８によって制御されており、システムコントロール回路５０からの制御信号に基いてシャッタ２８、撮影光学系１５が駆動される。
【００１９】
被写体像に応じた画像信号がＣＣＤ４０から読み出されると、アンプ回路４２、Ａ／Ｄ変換器４４、画像処理回路４６において画像信号が処理されるとともに、システムコントロール回路５０を介して記録制御回路６２へ送られる。記録制御回路６２では、画像信号に対して圧縮処理が施され、圧縮された画像信号はメモリカード６０に記録される。
【００２０】
モードダイヤル１４の操作により再生モードが選択された場合、システムコントロール回路５０において再生モード選択が検出される。そして、メモリカード６０から圧縮された画像信号が読み出され、記録制御回路６２において伸張処理される。そして、画像処理回路４６を介して、ＬＣＤドライバ４７へ送られる。ＬＣＤドライバ４７では、送られてきた画像信号に基いて液晶モニタ１６を制御し、これにより、記録された被写体像が液晶表示部３０に再生表示される。
【００２１】
メインスイッチボタン１１が押下されてメインスイッチ１１ＡがＯＮになると、バッテリ７１から各回路へ電源が供給される。バッテリ７１にはバッテリ検出器５９が接続されており、バッテリの残量が検出される。画像情報メモリ６１には、後述するように、カメラの起動時（電源ＯＮ時）と終了時（電源ＯＦＦ時）において表示部３０に表示するデータが格納されている。メモリカード６０に接続されたメモリ容量検出器６５は、メモリの記録可能な残り容量を検出する。そして、システムコントロール回路５０では、検出されたメモリ残量から記録可能な残り撮影枚数が算出される。ただし、ここでは、記録される画像の画質、圧縮方式が一コマごとに同じであるものとする。
【００２２】
図３は、カメラ全体の動作を示したフローチャートである。メインスイッチボタン１１が押下されると開始される。
【００２３】
ステップＳ１０１では、電気回路、レンズやシャッタ等に対する初期化処理が実行される。ただし、ここでは、モードダイヤル１４で設定されるモードについては初期化されず、前回使用時において設定されたモードが設定される。ステップＳ１０２では、後述するように起動時における画面表示動作が行われる。そして、ステップＳ１０３では、メインスイッチボタン１１が押下されてメインスイッチ１１ＡがＯＦＦ状態になったか否かが判断される。
【００２４】
ステップＳ１０３においてメインスイッチボタン１１が押下されたと判断された場合、ステップＳ１０９に進み、レンズの本体ボディ内への収容などカメラ動作を終了するための処理が実行される。そして、ステップＳ１１０では、後述するように終了時における画面表示動作が行われる。
【００２５】
一方、ステップＳ１０３においてメインスイッチボタン１１が押下されていないと判断された場合、ステップＳ１０４へ進む。ステップＳ１０４では、後述するように撮影モードの切り替え動作が実行される。ステップＳ１０５では、レリーズボタン１３が押下されたか否かが判断される。
【００２６】
ステップＳ１０５においてレリーズボタン１３が押下されたと判断された場合、ステップＳ１０６において撮影動作が実行される。そして、ステップＳ１０７では、メモリ容量検出器６５においてメモリカード６０の残り容量が検出され、残り容量に基づいて記録可能な残り撮影枚数が検出される。ステップＳ１０８では、バッテリの残量がバッテリ検出器５９により検出される。メインスイッチ１１ＡがＯＦＦ状態になるまで、ステップＳ１０３〜Ｓ１０８が繰り返し実行される。
【００２７】
図４は、ステップＳ１０４のサブルーチンであるモード切替動作を示したフローチャートである。
【００２８】
ステップＳ２０１では、モードダイヤル１４が操作され、例えば撮影モードから再生モードなどの他のモードに設定変更されたか否かが判断される。他のモードに設定変更されたと判断された場合、ステップＳ２０２において、選択されたモードが新たに設定される。一方、他のモードに設定変更されていないと判断された場合、このままサブルーチンは終了する。
【００２９】
図５は、ステップＳ１０２のサブルーチンである起動時表示動作を示したフローチャートであり、図６は、起動時に表示される画面を示した図である。
【００３０】
ステップＳ３０１では、前回使用時において動作終了直前に設定されていたモードが読み出され、ステップＳ３０２では、設定されていたモードに対応する画面表示が決定される。そして、ステップＳ３０３では、決定された表示画像のデータが画像情報メモリ６１から読み出され、表示部３０に表示される。図６には、夜景モードが設定されていた場合に表示される画像が示されおり、夜景に応じたイメージ画像が表示される。
【００３１】
ステップＳ３０４では、撮影光学系１５の駆動が終了した（広角側初期位置またはオートパワーオフ時のズーム位置までの駆動）か否かが判断される。撮影光学系１５の駆動が終了していないと判断された場合、駆動終了までステップＳ３０３，Ｓ３０４が繰り返し実行される。これにより、ユーザがカメラ１０を使用可能となるまでの間、モードに対応する画面表示が行われる。撮影光学系１５の駆動が終了したと判断された場合、ステップＳ３０５へ進み、表示されていた画像が消去される。
【００３２】
図７は、ステップＳ１１０のサブルーチンである終了時表示動作を示したフローチャートである。図８は、終了時に表示される画面を示した図である。
【００３３】
ステップＳ４０１では、動作終了直前に設定されていたモードが読み出され、ステップＳ４０２では、設定されていたモードに対応する画面表示が決定される。そして、ステップＳ４０３では、決定された表示画像のデータが画像情報メモリ６１から読み出され、表示部３０に表示される。図８には、再生モードが設定されていた場合に表示される画像が示されており、再生モードを連想させるように、一連の記録画像がサムネイル表示される。
【００３４】
ステップＳ４０４では、撮影光学系１５の駆動（レンズ収納駆動）が終了したか否かが判断される。撮影光学系１５の駆動が終了していないと判断された場合、駆動終了までステップＳ３０３，３０４が繰り返し実行される。撮影光学系１５の駆動が終了したと判断された場合、ステップＳ４０５へ進み、表示されていた画像が消去される。モード変更が電源ＯＦＦ時になければ、終了時におけるモードい応じた画像が起動時において画面表示される。例えば、再生モードが設定されて終了した場合、起動時においてサムネイル表示される。
【００３５】
このように本実施形態によれば、カメラの起動時および終了時において、設定された撮影モードに応じたイメージ画像が表示部３０に表示される。これにより、ユーザは設定されているモードを起動時、終了時において認識することができる。なお、モードとしては、マクロ撮影、遠距離撮影等をモードとして選択できるように構成してもよい。
【００３６】
撮影モード等に限定されず、起動時において初期化されない設定値、カメラの属性、カメラの現状状態を示す画像を表示するようにしてもよい。
【００３７】
イメージ画像に限らず、文字情報や記号、図形等のキャラクタ情報を表示するように構成してもよい。
【００３８】
カメラの特性や操作設定内容に限定されず、カメラのイメージ性を高める画像であって、起動時と終了時との画像がともに関連性のある画像（例えば、青空と夕日など）を表示するようにしてもよい。これにより、カメラ会社がそのカメラに託したイメージ等をユーザに対しより強固に印象付けることができる。
【００３９】
次に、第２の実施形態であるデジタルスチルカメラについて説明する。第２の実施形態では、起動時、終了時において、記録できる撮影枚数、バッテリ残量が画像とともに表示される。それ以外は、第１の実施形態と同じである。
【００４０】
図９は、起動時における表示動作を示したフローチャートである。図１０は、起動時に表示される画面を示した図である。
【００４１】
ステップＳ５０１では、バッテリ残量およびメモリカード６０の記録可能な残り容量が検出される。このとき、メモリカード６０の残量に基づき、撮影可能な枚数が算出される。ステップＳ５０２では、図６、図８に示したような設定モードに応じた画像に加え、バッテリ残量のイメージ図と記録可能な残り撮影枚数が文字情報として表示されるように、ＬＣＤドライバ４７が表示部３０を制御する。これにより、図１０に示すような画面が表示される。ステップＳ５０３、Ｓ５０４の実行は、第１の実施形態における図５のステップＳ３０３，Ｓ３０４の実行と同じであり、撮影光学系１５の駆動が終了するまで表示される。
【００４２】
図１１は、終了時における表示動作を示したフローチャートである。
【００４３】
ステップＳ６０１，Ｓ６０２では、ステップＳ５０１，５０２と同様に、バッテリ残量、メモリ残量が検出され、図６、図８に示したような設定モードに応じた画像に加え、現在のバッテリ残量、残り撮影枚数が表示される。ステップＳ６０３、Ｓ６０４の実行は、第１の実施形態における図７のステップＳ４０３，Ｓ４０４の実行と同じであり、撮影光学系１５の駆動が終了するまで表示される。
【００４４】
設定モードに応じた画像を除いたバッテリ残量と撮影枚数のみを表示するように構成してもよい。あるいは、バッテリ残量あるいは撮影枚数のみを表示するように構成してもよい。また、測光方式やホワイトバランス等の撮影条件を表示させるようにしてもよい。
【図面の簡単な説明】
【００４５】
【図１】第１の実施形態であるデジタルスチルカメラの背面図である。
【図２】カメラのブロック図である。
【図３】カメラ全体の動作を示したフローチャートである。
【図４】モード切替動作を示したフローチャートである。
【図５】起動時表示動作を示したフローチャートである。
【図６】起動時に表示される画面を示した図である。
【図７】終了時表示動作を示したフローチャートである。
【図８】終了時に表示される画面を示した図である。
【図９】第２実施形態の起動時における表示動作を示したフローチャートである。
【図１０】第２実施形態の起動時に表示される画面を示した図である。
【図１１】第２実施形態の終了時における表示動作を示したフローチャートである。
【符号の説明】
【００４６】
１０  デジタルカメラ
１１  メインスイッチボタン
１１Ａ  メインスイッチ
１４  モードダイヤル
３０  液晶表示部（表示部）
４７  ＬＣＤドライバ
５９  バッテリ検出器
６１  画像情報メモリ
６５  メモリ容量検出器
【図１】
2005101951.tif 000003
【図２】
2005101951.tif 000004
【図３】
2005101951.tif 000005
【図４】
2005101951.tif 000006
【図５】
2005101951.tif 000007
【図６】
2005101951.tif 000008
【図７】
2005101951.tif 000009
【図８】
2005101951.tif 000010
【図９】
2005101951.tif 000011
【図１０】
2005101951.tif 000012
【図１１】
2005101951.tif 000013